(57)【特許請求の範囲】
【請求項１】
自動販売機本体の前面に開閉自在に取り付けられている前面扉と、
この前面扉の裏面に設けられているホルダーと、
このホルダーに着脱自在に支持されるリモコンボックスとを備えている自動販売機において、
前記リモコンボックスは、一番広い面が前記前面扉の裏面に対して略垂直になるように、前記ホルダーに支持されていることを特徴とする自動販売機。
【請求項２】
自動販売機本体の前面に開閉自在に取り付けられている前面扉と、
この前面扉の裏面に設けられているホルダーと、
このホルダーに着脱自在に支持されるリモコンボックスとを備えている自動販売機において、
前記リモコンボックスは、前記前面扉の裏面に近接している引っ込み位置とこの引っ込み位置よりも突出している突出位置との間を移動可能な状態で前記ホルダーに支持されており、
そして、前記前面扉が閉じる際に、前記リモコンボックスを引っ込み位置に変位させる引っ込み手段が設けられていることを特徴とする自動販売機。
【発明の詳細な説明】
【０００１】
【産業上の利用分野】
本発明は、リモコンボックスを備えた自動販売機に関する。
【０００２】
【従来の技術】
この種の自動販売機は、たとえば実開昭６３−１６３５６９号公報（Ｇ０７Ｆ５／２２）などに記載されており、販売する商品の値段のデータを自動販売機の制御装置に設定したり、また、自動販売機の記憶手段から販売記録などのデータをプリンターや表示装置に出力したりするための操作装置としてリモコンボックスが備えられている。
【０００３】
このリモコンボックスは、手帳の様な薄い直方体形状をしており、その一番広い面に液晶などの表示部と、複数の操作ボタンとが設けられている。この表示部は、リモコンボックスが操作されている際にその操作内容などの表示を行うとともに、リモコンボックスが操作されていない際にも、自動販売機に異常などがある場合には警報の表示などを行っている。一方、自動販売機の前面扉の裏面にはホルダーが設けられており、前面扉が開かれた際に、リモコンボックスの表示面が見える様に、リモコンボックスはその一番広い面が前面扉の裏面と平行な状態で、ホルダーに着脱自在に収納されている。
【０００４】
【発明が解決しようとする課題】
ところで、自動販売機の前面扉は、商品をディスプレイする機能を有しており、上部には見本缶が陳列されている。また、前面扉の下部に設けられた透明なプレートの奥にポスターが張られており、この透明なプレートを介してポスターが見える様になっている。このポスターは前面扉を開けて、前面扉の裏から張られており、また透明なプレートが損傷した際にも前面扉の裏からプレートが取替えられる。したがって、このポスタースペースの裏に電装品などの装置を配置すると、ポスターを張る際やプレートの取替えの際に邪魔になる。そこで、なるべく他の箇所に電装品などを配置するように配慮されている。
【０００５】
一方、自動販売機の前面扉の周縁には、フランジが後方に突設しており、電装品、コインメカ、ホルダーなどの部品は、このフランジに囲まれた空間に配置されている。しかしながら、前述のようにディスプレイの部分は、見本缶が設けられていたり、ポスタースペースとなっているので、このディスプレイの部分を除いた部分が電装品、コインメカ、ホルダーなどの部品を配置するスペースとなっている。そして、近時、ポスタースペースを大きくしたいという要求があり、ホルダーなどの部品を配置するスペースが小さくなってきている。
【０００６】
ところで、このホルダーを配置するスペースはホルダーを取り付けるスペースと、ホルダーに収納されているリモコンボックスを掴むスペースとが必要である。したがって、リモコンボックスを収納しているホルダーの配置スペースが減少すると、ホルダーが取り付けられなくなる場合や、リモコンボックスが掴み難くなりリモコンボックスをホルダーから取り出すことが困難となる場合などがある。
【０００７】
本発明は、以上のような課題を解決するためのもので、狭いスペースにリモコンボックスを配置することができる自動販売機を提供することを目的とする。
【０００８】
【課題を解決するための手段】
前記目的を達成するために、本発明の自動販売機は、自動販売機本体（１）の前面に開閉自在に取り付けられている前面扉（４）と、この前面扉の裏面に設けられているホルダー（１３）と、このホルダーに着脱自在に支持されるリモコンボックス（１２）とを備えている。そして、前記リモコンボックスは、一番広い面（６０）が前記前面扉の裏面に対して略垂直になるように、前記ホルダーに支持されている。
【０００９】
また、リモコンボックスが、前面扉の裏面に近接している引っ込み位置とこの引っ込み位置よりも突出している突出位置との間を移動可能な状態でホルダーに支持されており、そして、前記前面扉が閉じる際に、前記リモコンボックスを引っ込み位置に変位させる引っ込み手段（６６）が設けられている場合がある。
【００１０】
【作    用】
リモコンボックスは、一番広い面が前記前面扉の裏面に対して略垂直になるように、前記ホルダーに支持されているので、リモコンボックスの一番広い面を前面扉と略平行に配置した場合よりも、狭いスペースでリモコンボックスを前面扉の裏面に収納することができる。
【００１１】
また、リモコンボックスが、前面扉の裏面に近接している引っ込み位置とこの引っ込み位置よりも突出している突出位置との間を移動可能な状態でホルダーに支持されているので、取り出しまたは収納する際には、リモコンボックスを突出位置にしてリモコンボックスを掴み易くすることができる。さらに、前面扉が閉じる際には、引っ込み手段により、リモコンボックスは引っ込み位置となるので、前面扉の閉じ動作の妨げになることはない。
【００１２】
【実  施  例】
次に、本発明における自動販売機の第１実施例を図１ないし図７を用いて説明する。
図１は本発明の自動販売機の第１実施例の正面図である。図２は図１の要部切欠き断面図である。図３はホルダーの斜視図である。図４はリモコンボックスを収納している状態でのホルダーの正面図である。図５は図２の要部拡大断面図である。図６はリモコンボックスの状態を説明するための図で、リモコンボックスを取り出す状態における要部拡大断面図である。図７はリモコンボックスの状態を説明するための図で、前面扉が閉じる寸前の状態における要部拡大断面図である。なお、リモコンボックスの操作ボタンは図６にのみ図示し、他の図においてはその図示が省略されている。
【００１３】
図１および図２において、自動販売機の本体１は箱体であり、その内部に缶ジュース、缶ビールなどの販売用商品を収納し、その商品を冷却または加熱している。そして、断熱扉２が自動販売機本体１にヒンジにより開閉自在に取り付けられており、自動販売機本体１の前面を塞いで、自動販売機本体１内部の冷気または暖気を外気から遮断している。この断熱扉２は自動販売機本体１の前端から少し奥に入った位置にあり、断熱扉２の前方には狭い空間が形成されている。また、この断熱扉２の前方に配置されたメイン扉である前面扉４は、その左端部が自動販売機本体１にヒンジで取り付けられており、開閉自在に構成されている。
【００１４】
この前面扉４は長方形形状をしており、その周縁にはリブ５が細長く設けられている。そして、前面扉４の上部には、見本缶６等を陳列するディスプレイ部７が形成されている。このディスプレイ部７の前面にはプラスチック板などの透明な板が取り付けられており、また各見本缶６の下方に選択ボタン８が設けられている。そして、ディスプレイ部７の左下方には、Ａ３サイズのポスタースペース１０が配設されており、このポスタースペース１０の前面にはプラスチック板などの透明な板が取り付けられている。
【００１５】
このポスタースペース１０の右側には、リモコンボックス１２およびリモコンボックス１２を収納するホルダー１３が前面扉４の裏面に配置されている。そして、１５は金銭投入口、１６は紙幣処理機、１７はコインメカ、１８は釣銭等返却口、１９は金庫、２０は商品取り出し口、２１はプリンターである。また、商品取り出し口２０の周囲には、長方形形状の電装品２２が多数配置されている。これら、金銭投入口１５、釣銭等返却口１８、商品取り出し口２０は前面扉４の前面側にあり、一方、紙幣処理機１６、コインメカ１７、金庫１９、プリンター２１、電装品２２は前面扉４の裏面に取り付けられている。なお、図２に示すように、見本缶６の下方には、見本缶６を照明する蛍光灯２４が設けてある。
【００１６】
次に、図３において、合成樹脂などで一体成形されるホルダー１３の前面３１は前面扉４の裏面に対向しており、この前面３１の中央部には開口３２が形成されている。この開口３２の左右側には各々フランジ３４が形成されている。このフランジ３４の上部には円形の孔３５が各々形成されている。また、開口３２の下側は二股形状に形成されて、係合溝部３７が設けられている。
【００１７】
ホルダー１３の左側には、一対のリブ４１が形成された側板４２が設けられている。また、ホルダー１３の後部には背面板４４が設けられ、この背面板４４の右端は前側に折れ曲がり前方に突出して突出部である右後部係止部４５を形成している。一方、ホルダー１３の底板４７は中央部が切り欠かれている。そして、ホルダー１３の右側面および上面は開放している。
【００１８】
次に、図４および図５において、前面扉４の裏面から間隔を有して、金属製の立ち上がり板５１が溶接等により固定されている。また、立ち上がり板５１の上方には、金属製のネジ固定部材５３が溶接等により固定されている。さらに、ネジ固定部材５３の上方には、薄い直方体形状のクッション５４が前面扉４の裏面に張ることにより設けられている。そして、立ち上がり板５１の上端にホルダー１３の係合溝部３７を係合する。また、ホルダー１３の孔３５には各々段付きボルト５５が挿入されており、この段付きボルト５５はその先端部のみにネジが切られており、このネジ部がネジ固定部材５３に螺合している。この様にして、ホルダー１３は前面扉４の裏面に取り付けられているが、段付きボルト５５であるので、ホルダー１３の孔３５は段付きボルト５５に嵌められた状態で前後方向に移動可能である。したがって、ホルダー１３は係合溝部３７と立ち上がり板５１との係合部を中心として回動可能である。
【００１９】
一方、薄い直方体形状のリモコンボックス１２は、その一番広い長方形の面を前面６０としており、この前面６０の短い方の辺が略前後方向に、一方長い方の辺が略上下方向になるように、ホルダー１３に収納されている。したがって、リモコンボックス１２の前面６０は前面扉４の裏面に対して略垂直に収納されている。そして、リモコンボックス１２の前面６０の上部に表示部６１が設けられており、この表示部６１の下方に操作ボタン６２（図６参照）が配設されている。また、リモコンボックス１２の底面には信号電送用のコード６４が接続されており、この信号電送用のコード６４の他端は図示しない制御装置に接続されている。さらに、ホルダー１３の背面およびリモコンボックス１２の側面が対向する断熱扉２の前面には、薄い直方体形状のクッション６６が張られている。このクッション６６の表面には、ポリエステルフィルムが貼付されている。
【００２０】
この様に構成された自動販売機において、前面扉４が閉められた状態では、図２に示すように、前面扉４を側方から見た場合に、リモコンボックス１２の前面６０の大半が前面扉４のリブ５によって隠れた状態となり、前面６０の右側の一部がリブ５から突出している。この突出している部分は、自動販売機本体１内の断熱扉２前方の狭い空間に収まっており、そして、リモコンボックス１２の右端が断熱扉２のクッション６６に当接している。一方、リモコンボックス１２の左端は前面扉４の裏面のクッション５４に当接している。このリモコンボックス１２が前面扉４の裏面に近接している位置が引っ込み位置である。
【００２１】
この状態を拡大した図が図５であり、図６は前面扉４が開いている状態で、図７は殆ど閉まりかけている状態である。なお、図６および図７において、前面扉４が閉まった状態における断熱扉２の前側表面が二点鎖線で図示されている。そして、図５の状態で前面扉４が開くと、リモコンボックス１２およびホルダー１３の重力により、ホルダー１３は立ち上がり板５１と係合溝部３７との係合部を中心として時計方向に回動する。そして、図６に示すように、ホルダー１３の孔３５が、ストッパーとしての段付きボルト５５の頭に当接すると、ホルダー１３の回動は停止する。そして、リモコンボックス１２は上部は前面扉４の裏面から離れ、突出した状態になる。この位置が突出位置であり、リモコンボックス１２をホルダー１３から取り出したりまたは収納したりする。
【００２２】
この突出位置において、リモコンボックス１２をホルダー１３から取り出して操作した後、ホルダー１３に収納し、前面扉４を閉じかけると、図７に示すように、リモコンボックス１２の右端が、断熱扉２に設けたクッション６６に当接する。さらに前面扉４を閉じると、断熱扉２のクッション６６がリモコンボックス１２を前面扉４側に押圧する状態となり、リモコンボックス１２はホルダー１３とともに、反時計方向に回動し、図５に図示する状態に戻る。したがって、断熱扉２のクッション６６はリモコンボックスを引っ込み位置に変位させる引っ込み手段として機能する。また、このリモコンボックス１２が引っ込み位置に移動する際に、リモコンボックス１２の右端はクッション６６の表面状を滑るが、クッション６６の表面には前述のようになめらかなフィルムであるポリエステルフィルムが設けてあるので、なめらかに滑ることができる。
【００２３】
次に、リモコンボックスの取付け構造の第２実施例を図８を用いて説明する。図８はリモコンボックスの取付け構造を説明するための要部拡大断面図である。なお、第２実施例の説明において、第１実施例と同じ構成部材には同じ符号を用いて、その説明は省略する。
【００２４】
第２実施例においては、第１実施例の係合溝部３７および段付きボルト５５は設けられておらず、ホルダー１３を揺動可能に支持する揺動軸７１が前面扉４の裏面にフランジなどを介して取り付けられている。
そして、前面扉４が開いたときには、ホルダー１３およびリモコンボックス１２の重力により揺動軸７１を中心として時計方向に揺動して突出位置になる。この時、ホルダー１３の手前側下端が前面扉４の裏面に当接して、ホルダー１３の時計方向の回動を阻止しており、前面扉４の裏面がストッパーの機能を果たしている。
【００２５】
次いで、前面扉４を閉じると、第１実施例と同様に断熱扉２のクッション６６がリモコンボックス１２の右側部に当接して、リモコンボックス１２を引っ込み位置に回動させる。
【００２６】
次に、リモコンボックスの取付け構造の第３実施例を図９を用いて説明する。図９はリモコンボックスの取付け構造を説明するための要部拡大断面図である。なお、第３実施例の説明において、第１実施例と同じ構成部材には同じ符号を用いて、その説明は省略する。
【００２７】
第３実施例においては、第１実施例の段付きボルト５５の代わりに、雄ネジ７３がネジ固定部材５３に螺合しており、ホルダー１３を揺動不可能に固定している。また、ホルダー１３の背面板４４はその上部が切り欠かれている。さらに、底板４７の上面の前側すなわち前面扉４側には突起７５が突設している。
そして、前面扉４が閉じているときには、突起７５の上端と断熱扉２のクッション６６とで、リモコンボックス１２は支持されて、引っ込み位置にある。
【００２８】
次いで、前面扉４を開けると、リモコンボックス１２を支持していた断熱扉２のクッション６６がリモコンボックス１２から離れるので、リモコンボックス１２は突起７５を支点として時計方向に回動し、ホルダー１３の背面板４４の上端、ホルダー１３の底板４７の上面および前面扉４の裏面で支持されて、突出位置になる。
【００２９】
前述の様に、実施例においては、リモコンボックス１２はその一番広い面を前面扉４の裏面に対して略垂直になる様に配置しているので、従来のように一番広い面を前面扉４の裏面に対して略平行に設けたものに比して、前面扉４の裏面におけるホルダー１３の取付けスペースを狭くすることができる。そして、自動販売機において商品の補充作業をしている際に、作業者がリモコンボックス１２に触る場合があるが、リモコンボックス１２が自動販売機本体１側に向いている面がリモコンボックス１２の側面であるので、作業者がリモコンボックス１２の操作ボタン等に触れる恐れが少ない。従来のように、リモコンボックス１２の前面を自動販売機本体１の側に向けて配置すると、作業者が誤ってリモコンボックス１２の操作ボタン等に触れる場合がある。
【００３０】
また、リモコンボックス１２は、前面扉４が開いた状態では、前面扉４の裏面から突出した突出位置にあるので、取り出しまたは収納を行うことが簡単にできる。さらに、前面扉４が閉じる際には、リモコンボックス１２は前面扉４側に引っ込んだ引っ込み位置に移動するので、前面扉４の閉動作の妨げにならない。
【００３１】
そして、リモコンボックス１２は一番広い面を前面とし、この前面に警告等の表示をしている表示部が設けられており、この前面が前面扉４の側面に対して略平行になるように配設されているので、前面扉４を開けた際に、前面扉４の側方から表示部を見ることができる。特に、リモコンボックス１２が突出位置にある時には、表示部も前面扉４の裏面から突出し、見やすくなる。表示部が液晶で構成されている場合には、液晶には指向性があるので、特に見やすくなる。
【００３２】
さらに、第１実施例および第２実施例においては、ホルダー１３の回動中心がリモコンボックス１２およびホルダー１３の重心よりも前面扉４の裏面側に設けられているので、リモコンボックス１２およびホルダー１３の自重により、引っ込み位置から突出位置へ移動する。したがって、突出位置へ移動するために別途駆動装置や付勢手段を設ける必要がない。
【００３３】
また、第３実施例においては、リモコンボックス１２には、ホルダー１３の底板４７の上面に設けた突起７５すなわちリモコンボックス支持部が設けられており、前面扉４が閉まった状態では、このリモコンボックス支持部と自動販売機本体１に設けられた部材とでリモコンボックス１２を引っ込み位置に支持している。そして、前面扉４が開くと、自動販売機本体１に設けられた部材がリモコンボックス１２から離れ、リモコンボックス１２が自動販売機本体１側に倒れ、突出位置となる。したがって、突出位置へ移動するために別途駆動装置や付勢手段を設ける必要がない。すなわち、ホルダー１３には、前面扉４が閉じた状態において、自動販売機本体１に設けられた部材とでリモコンボックス１２を支持する支持部が設けられている。
【００３４】
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（１）実施例においては、リモコンボックスを引っ込み位置に変位させる引っ込み手段は、自動販売機本体１に配置された部材である断熱扉２のクッション６６により構成されているが、断熱扉２のクッション６６の代わりに、自動販売機本体１の他の構造物で構成することも可能である。また、リモコンボックス１２を移動させるモーター等の駆動装置および前面扉４の開閉状態を検出する検出器を自動販売機に設けることも可能である。そして、この検出器により前面扉４の開閉状態を検出し、この検出信号で前記駆動装置を駆動することにより、リモコンボックス１２を移動させることもできる。
【００３５】
（２）リモコンボックス１２およびホルダー１３の回動構造は、前面扉４を開けた際に、回動することが可能であるならば、適宜変更可能である。
（３）実施例においては、リモコンボックス１２はその回動により、突出位置と引っ込み位置との間を移動しているが、平行移動により突出位置と引っ込み位置との間を移動することも可能である。たとえば、パンタグラフ機構などのリンク機構でホルダー１３を前面扉４の裏面に取付けておき、バネなどの付勢手段でホルダー１３を常時自動販売機本体１の側に付勢しておくことも可能である。
【００３６】
（４）実施例においては、リモコンボックス１２は重力により、引っ込み位置から突出位置に移動しているが、前面扉４の裏面にバネや弾性体などの付勢手段を設けておき、この付勢手段により移動するようにすることも可能である。
（５）実施例においては、断熱扉２のクッション６６はリモコンボックス１２に当接しているが、ホルダー１３に当接して、ホルダー１３を回動させることも可能である。
【００３７】
【発明の効果】
本発明によれば、リモコンボックスは、一番広い面が前記前面扉の裏面に対して略垂直になるように、前記ホルダーに支持されているので、リモコンボックスの一番広い面を前面扉と略平行に配置した場合よりも、狭いスペースでリモコンボックスを前面扉の裏面に収納することができる。したがって、リモコンボックスを収納するホルダーの取付けスペースを狭くすることができる。その結果、自動販売機のディスプレイスペースなどを拡大することができる。
【００３８】
また、リモコンボックスが、前面扉の裏面に近接している引っ込み位置とこの引っ込み位置よりも突出している突出位置との間を移動可能な状態でホルダーに支持されているので、取り出しまたは収納する際には、リモコンボックスを突出位置にしてリモコンボックスを掴み易くすることができる。したがって、リモコンボックスを掴むためのスペースを狭くすることができる。その結果、自動販売機のディスプレイスペースなどを拡大することができる。
【００３９】
さらに、前面扉が閉じる際には、引っ込み手段により、リモコンボックスは引っ込み位置となる。したがって、上記のように、リモコンボックスを突出位置と引っ込み位置との間で移動可能にしたにも係わらず、前面扉の閉じ動作の妨げになることはない。
【図面の簡単な説明】
【図１】本発明の自動販売機の第１実施例の正面図である。
【図２】図１の要部切欠き断面図である。
【図３】ホルダーの斜視図である。
【図４】リモコンボックスを収納している状態でのホルダーの正面図である。
【図５】図２の要部拡大断面図である。
【図６】リモコンボックスの状態を説明するための図で、リモコンボックスを取り出す状態における要部拡大断面図である。
【図７】リモコンボックスの状態を説明するための図で、前面扉が閉じる寸前の状態における要部拡大断面図である。
【図８】第２実施例の自動販売機のリモコンボックスの取付け構造を説明するための要部拡大断面図である。
【図９】第３実施例の自動販売機のリモコンボックスの取付け構造を説明するための要部拡大断面図である。
【符号の説明】
１  自動販売機本体
４  前面扉
１２  リモコンボックス
１３  ホルダー
６０  前面（一番広い面）
６６  クッション（引っ込み手段）
【図１】
0003641842.tif 000002
【図２】
0003641842.tif 000003
【図３】
0003641842.tif 000004
【図４】
0003641842.tif 000005
【図５】
0003641842.tif 000006
【図６】
0003641842.tif 000007
【図７】
0003641842.tif 000008
【図８】
0003641842.tif 000009
【図９】
0003641842.tif 000010